(57)【要約】【課題】ソール部の剛性をさらに向上することができる、ゴルフクラブヘッドを提供する。【解決手段】本発明に係るゴルフクラブヘッドは、フェース部と、クラウン部と、ソール部と、前記ソール部に設けられた少なくとも１つの第１リブと、前記ソール部に設けられた少なくとも１つの第２リブと、を備え、前記フェース部、前記クラウン部、及び前記ソール部によって囲まれた内部空間を有し、前記第１リブは、前記ソール部の内壁面において、トゥ−ヒール方向に延び、前記第２リブは、前記ソール部の内壁面において、フェース−バック方向に延び、前記第２リブの前記ソール部の内壁面からの高さが、前記第１リブの前記ソール部の内壁面からの高さよりも低い。【選択図】図５
2020179030.tif 000002
【特許請求の範囲】
【請求項１】
フェース部と、
クラウン部と、
ソール部と、
前記ソール部に設けられた少なくとも１つの第１リブと、
前記ソール部に設けられた少なくとも１つの第２リブと、
を備え、
前記フェース部、前記クラウン部、及び前記ソール部によって囲まれた内部空間を有し、
前記第１リブは、前記ソール部の内壁面において、トゥ−ヒール方向に延び、
前記第２リブは、前記ソール部の内壁面において、フェース−バック方向に延び、
前記第２リブの前記ソール部の内壁面からの高さが、前記第１リブの前記ソール部の内壁面からの高さよりも低い、ゴルフクラブヘッド。
【請求項２】
前記第２リブは、前記第１リブと交差している、請求項１に記載のゴルフクラブヘッド。
【請求項３】
前記第１リブ及び第２リブは、それぞれ、連続的に延びている、請求項１または２に記載のゴルフクラブヘッド。
【請求項４】
前記ソール部には最も肉厚が薄い薄肉部を有しており、
前記第１リブの少なくとも一部、及び前記第２リブの少なくとも一部が、前記薄肉部上を通過するように構成されている、請求項１から３のいずれかに記載のゴルフクラブヘッド。
【請求項５】
前記薄肉部は、トゥ−ヒール方向のトゥ側に配置されている、請求項４に記載のゴルフクラブヘッド。
【請求項６】
前記ソール部には、前記薄肉部の周囲の少なくとも一部に、当該薄肉部よりも肉厚の大きい厚肉部を備えており、
前記第１リブ及び第２リブの少なくとも１つは、前記厚肉部まで延びている、請求項４または５に記載のゴルフクラブヘッド。
【請求項７】
少なくとも２本の前記第２リブを備えており、
前記２本の第２リブが、前記ソール部において交差するように形成されている、請求項１から６のいずれかに記載のゴルフクラブヘッド。
【請求項８】
１本の前記第１リブを備えており、
前記１本の第１リブと前記２本の第２リブとで囲まれる領域が、前記薄肉部上に配置されている、請求項７に記載のゴルフクラブヘッド。
【請求項９】
前記第２リブは、前記フェース部と前記ソール部との境界付近からバック側に延びている、請求項１から８のいずれかに記載のゴルフクラブヘッド。
【発明の詳細な説明】
【技術分野】
【０００１】
本発明は、ゴルフクラブヘッドに関する。
【背景技術】
【０００２】
ウッド型のゴルフクラブヘッドは、従来から、多くの改良がなされてきており、例えば、ソール部の剛性を増すことで、反発性能を向上する試みがなされている。特許文献１では、ソール部の内面に、トゥーヒール方向に延びるリブを形成し、これによって、ソール部の剛性を向上している。
【先行技術文献】
【特許文献】
【０００３】
【特許文献１】特開２０１２−３９６号公報
【発明の概要】
【発明が解決しようとする課題】
【０００４】
しかしながら、ソール部の剛性の向上には改良の余地があり、さらなる剛性の向上が要望されていた。本発明は、上記問題を解決するためになされたものであり、ソール部の剛性をさらに向上することができる、ゴルフクラブヘッドを提供することを目的とする。
【課題を解決するための手段】
【０００５】
本発明に係るゴルフクラブヘッドは、フェース部と、クラウン部と、ソール部と、前記ソール部に設けられた少なくとも１つの第１リブと、前記ソール部に設けられた少なくとも１つの第２リブと、を備え、前記フェース部、前記クラウン部、及び前記ソール部によって囲まれた内部空間を有し、前記第１リブは、前記ソール部の内壁面において、トゥ−ヒール方向に延び、前記第２リブは、前記ソール部の内壁面において、フェース−バック方向に延び、前記第２リブの前記ソール部の内壁面からの高さが、前記第１リブの前記ソール部の内壁面からの高さよりも低い。
【０００６】
上記ゴルフクラブヘッドにおいて、前記第２リブを、前記第１リブと交差させることができる。
【０００７】
上記ゴルフクラブヘッドにおいて、前記第１リブ及び第２リブは、それぞれ、連続的に延びているものとすることができる。
【０００８】
上記ゴルフクラブヘッドにおいて、前記ソール部には最も肉厚が薄い薄肉部を有しており、前記第１リブの少なくとも一部、及び前記第２リブの少なくとも一部が、前記薄肉部上を通過するように構成されているものとすることができる。
【０００９】
上記ゴルフクラブヘッドにおいて、前記薄肉部は、トゥ−ヒール方向のトゥ側に配置することができる。
【００１０】
上記ゴルフクラブヘッドにおいて、前記ソール部には、前記薄肉部の周囲の少なくとも一部に、当該薄肉部よりも肉厚の大きい厚肉部を備えており、前記第１リブ及び第２リブの少なくとも１つは、前記厚肉部まで延びている者とすることができる。
【００１１】
上記ゴルフクラブヘッドにおいては、少なくとも２本の前記第２リブを備えており、前記２本の第２リブが、前記ソール部において交差するように形成されているものとすることができる。
【００１２】
上記ゴルフクラブヘッドにおいて、１本の前記第１リブを備えており、前記１本の第１リブと前記２本の第２リブとで囲まれる領域が、前記薄肉部上に配置されているものとすることができる。
【００１３】
上記ゴルフクラブヘッドにおいて、前記第２リブは、前記フェース部と前記ソール部との境界付近からバック側に延びているものとすることができる。
【発明の効果】
【００１４】
本発明に係るゴルフクラブヘッドによれば、ソール部の剛性をさらに向上することができる。
【図面の簡単な説明】
【００１５】
【図１】本実施形態に係るゴルフクラブヘッドの斜視図である。
【図２】図１のゴルフクラブヘッドの基準状態での平面図である。
【図３】基準状態にあるゴルフクラブヘッドを下方から見た平面図である。
【図４Ａ】フェース部の境界を説明する図である。
【図４Ｂ】フェース部の境界を説明する図である。
【図５】ソール部を下面側から透過して内面を見た平面図である。
【図６】ヘッドの一部を切り欠き、ヘッドの内部空間を示す斜視図である。
【図７】ヘッドの一部を切り欠き、図６とは異なる角度から見たヘッドの内部空間を示す斜視図である。
【図８】シミュレーションに用いたヘッドのモデルのソール部の概要を示す図である。
【図９Ａ】振動のシミュレーション結果を示す図である。
【図９Ｂ】振動のシミュレーション結果を示す図である。
【図１０Ａ】リブの配置の他の例を示す平面図である。
【図１０Ｂ】リブの配置の他の例を示す平面図である。
【図１０Ｃ】リブの配置の他の例を示す平面図である。
【図１０Ｄ】リブの配置の他の例を示す平面図である。
【図１０Ｅ】リブの配置の他の例を示す平面図である。
【発明を実施するための形態】
【００１６】
以下、本発明に係るゴルフクラブヘッドの一実施形態について、図面を参照しつつ説明する。
【００１７】
＜１．ゴルフクラブヘッドの概要＞
図１は、このゴルフクラブヘッドの斜視図、図２は、ヘッドの基準状態での平面図、図３は、基準状態にあるゴルフクラブヘッドを下方から見た平面図である。図１〜図３に示すように、このゴルフクラブヘッド（以下、単に「ヘッド」ということがある）１０は、内部空間を有する中空構造であり、フェース部１、クラウン部２、ソール部３、及びホーゼル部４によって壁面が形成された、ウッド型のゴルフクラブヘッドである。具体的には、ユーティリティ（ハイブリッド）、フェアウェイウッド、ドライバーといったゴルフクラブヘッドに適用することができる。
【００１８】
フェース部１は、ボールを打球する面であるフェース面を有しており、クラウン部２はフェース部１と隣接し、ヘッド１０の上面を構成する。ソール部３は、主としてヘッド１０の底面を構成し、フェース部１とクラウン部２以外のヘッド１０の外周面を構成する。すなわち、ヘッド１０の底面のほか、フェース部１のトウ側からヘッドのバック側を通りフェース部１のヒール側へと延びる部位もソール部３の一部である。また、図３に示すように、ソール部３のバック側には、ウエイト部材（図示省略）が取り付けられるための固定穴３８が形成されている。固定穴３８の内壁面には、ウエイト部材に取り付けられた雄ねじが螺合する雌ねじ（図示省略）が形成されている。
【００１９】
ホーゼル部４は、クラウン部２のヒール側に隣接して設けられる部位であり、ゴルフクラブのシャフト（図示省略）が挿入される挿入孔４１を有し、ヘッドの内部まで延びる筒状に形成されている。そして、この挿入孔４１の中心軸線Ｚは、シャフトの軸線に一致している。
【００２０】
ここで、ゴルフクラブヘッド１０を地面に設置するときの基準状態について説明する。まず、図２に示すように、上記中心軸線Ｚが地面に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトゥ−ヒール方向と称し、このトゥ−ヒール方向に対して垂直であり且つ地面に対して平行な方向をフェース−バック方向と称することとする。また、トゥ−ヒール方向及びフェース−バック方向に直交する方向を上下方向と称することがある。
【００２１】
本実施形態において、フェース部１とクラウン部２、及びフェース部１とソール部３との境界は、次のように定義することができる。すなわち、両者の間に稜線が形成されている場合には、これが境界となる。一方、明確な稜線が形成されていない場合には、図４Ａに示されるように、ヘッド重心ＧとスイートスポットＳＳとを結ぶ直線Ｎを含む各断面Ｅ１、Ｅ２、Ｅ３…において、図４Ｂに示されるように、フェース外面輪郭線Ｌｆの曲率半径ｒがスイートスポット側からフェース外側に向かって初めて２００ｍｍとなる位置Ｐｅがフェース部１の周縁となり、これがクラウン部２またはソール部３との境界として定義される。なお、スイートスポットＳＳとは、ヘッド重心Ｇを通るフェース面の法線（直線Ｎ）とこのフェース面との交点である。
【００２２】
また、本実施形態において、クラウン部２とソール部３との境界は次のように定義することができる。すなわち、クラウン部２とソール部３との間に稜線が形成されている場合には、これが境界となる。一方、これらの間に明確な稜線が形成されていない場合には、ヘッドを基準状態に設置し、これをヘッド１０の重心の真上から見たときの輪郭が境界となる。
【００２３】
ヘッド本体１０は、例えば、比重がほぼ４．３〜４．５程度のチタン合金（Ｔｉ−６Ａｌ−４Ｖ、Ｔｉ−８Ａｌ−１Ｍｏ−１Ｖ等）で形成することができる。また、チタン合金以外にも、例えばステンレス鋼、マレージング鋼、アルミニウム合金、マグネシウム合金、またはアモルファス合金などの中から１種または２種以上を用いて形成することもできる。
【００２４】
このゴルフクラブヘッド１０の体積は、例えば、９０ｃｍ3以上、４７０ｃｍ3以下が望ましい。
【００２５】
＜２．ソール部の内面の構造＞
次に、ソール部３の内面の構造について、図５〜図７も参照しつつ説明する。図５はソール部を内部空間側から見た平面図、図６はヘッドの一部を切り欠き、ヘッドの内部空間を示す斜視図、図７は図６とは異なる角度から見た斜視図である。
【００２６】
図５〜図７に示すように、ソール部３の内面には、矩形状の薄肉部（薄いグレーに着色された部分）３１と、この薄肉部３１を囲むように形成された厚肉部３２（濃いグレーに着色された部分）を備えている。さらに、厚肉部のバック側には、固定穴３８を含む後部領域３３が形成されている。
【００２７】
まず、薄肉部３１について説明する。ここでは、説明の便宜のため、薄肉部３１において、フェース側の外縁、トゥ側の外縁、バック側の外縁、及びヒール側の外縁を、それぞれ、第１縁部３１１、第２縁部３１２、第３縁部３１３、及び第４縁部３１４と称することとする。第１縁部３１１は、フェース部１からやや離れ、フェース部１と概ね平行に延びている。第２縁部３１２は、ソール部３のトゥ側の縁部に近接し、この縁部に沿って円弧状に延びている。第３縁部３１３は、途中で屈曲する直線状に形成されており、ヒール側の端部は、第１縁部３１１のヒール側の端部よりもさらにヒール側に位置している。そして、第４縁部３１４は、フェース−バック方向に延びつつ、フェース側にいくにしたがって、トゥ側に延びるよう形成されている。なお、本実施形態においては、第４縁部３１４がトゥーヒール方向のセンターよりもややヒール側に位置している。すなわち、薄肉部は、トゥーヒール方向のセンターからトゥ側に亘って形成されている。また、フェース−バック方向において、この薄肉部３１は、フェース部１の近傍から、フェース−バック方向のセンターよりもややバック側まで延びている。
【００２８】
この薄肉部３１の肉厚は、例えば、０．３〜０．６ｍｍとすることができ、０．３５〜０．４５ｍｍとすることが好ましい。
【００２９】
次に、厚肉部３２について説明する。厚肉部３２は、薄肉部３１の第３縁部３１３よりもバック側の帯状の第１部位３２１と、第４縁部３１４よりもバック側の第２部位３２２とを有しており、薄肉部３１のバック側及びヒール側を囲むように配置されている。厚肉部３２の肉厚は、薄肉部３１よりも厚く、例えば、０．５〜１．５ｍｍとすることができ、０．６〜１．２ｍｍとすることが好ましい。
【００３０】
後部領域３３は、厚肉部３２の第１部位３２１のバック側に配置されており、ソール部３のバック側の縁部に沿うように形成されている。そして、後部領域３３には、厚肉部３２と同等か、あるいはそれよりも大きく形成された部位が混在している。
【００３１】
また、ソール部３には、３本のリブが形成されている。すなわち、トゥ−ヒール方向に延びる大リブ５１と、フェース−バック方向に延びる第１小リブ５２及び第２小リブ５３と、が形成されている。
【００３２】
大リブ５１は、フェース部１と平行に延びているのではなく、ヒール側にいくにしたがって、バック側に向かうように延びている。そして、大リブ５１のトゥ側の端部は、ソール部３のトゥ側の縁部付近まで延びており、大リブ５１のヒール側の端部は、ソール部３のヒール側の縁部付近まで延びている。
【００３３】
第１小リブ５２は、ソール部３のトゥ側で且つフェース部１の近傍から、大リブ５１を交差し、ソール部３のヒール側で且つバック側の端部付近まで延びている。すなわち、第１小リブ５２は、トゥ側にいくにしたがってフェース側に向かうように延びている。一方、第２小リブ５３は、ソール部３のヒール側で且つフェース部１の近傍から、大リブ５１及び第１小リブ５２と交差し、ソール部３のトゥ側で且つバック側の端部付近まで延びている。すなわち、第２小リブ５３は、トゥ側にいくにしたがってバック側に向かうように延びている。
【００３４】
このように、本実施形態においては、３本のリブ５１〜５３が互いに交差するように延びている。そして、３本のリブ５１〜５３が交差することにより三角形状の領域５０が形成されている。すなわち、大リブ５１と第１小リブ５２の交点、大リブ５１と第２小リブ５３の交点、及び第１小リブ５２と第２小リブ５３との交点によって三角形状の領域５０が形成されており、この領域５０が、薄肉部３１内に位置している。また、第１小リブ５２及び第２小リブ５３のバック側の端部は、後部領域３３内に位置している。
【００３５】
大リブ５１のソール部３の内面からの高さは、例えば、３．０〜７．０ｍｍとすることができ、４．０〜６．０ｍｍとすることが好ましい。一方、第１小リブ５２及び第２小リブ５３の高さは、大リブ５１よりも低く、例えば、０．５〜４．０ｍｍとすることができ、１．０〜３．０ｍｍとすることが好ましい。換言すると、両小リブ５２，５３の高さは、大リブ５１の高さの１０〜８０％であることが好ましい。
【００３６】
また、大リブ５１の高さは、トゥ側及びヒール側にいくにしたがって、低くなっており、その両端部においてはソール部３の内面からの高さが０になっている。この点は、小リブ５２，５３も同じであり、両端部に行くほど、高さが低くなっている。
【００３７】
大リブ５１の幅は、例えば、０．５〜１．０ｍｍとすることができる。一方、第１小リブ５２及び第２小リブ５３の幅も、例えば、０．５〜１．０ｍｍとすることができる。
【００３８】
また、大リブ５１は、後述する打球音の観点からは、フェース部１の近くに形成されることが好ましく、例えば、フェース部１から、ヘッド１０のフェース−バック方向の長さの５０％以内の領域に形成されることが好ましい。
【００３９】
＜３．ゴルフクラブヘッドの組立構造＞
本実施形態に係るゴルフクラブヘッド１０は、種々の組み立て構造とすることができる。例えば、フェース部１に開口を形成し、この開口にフェース部材を嵌め込み、溶接によって固定した構造とすることができる。フェース部材は、例えば、鍛造製法や、平板のプレス加工、鋳造等により製造することができる。一方、フェース部材以外の部分は、公知のロストワックス精密鋳造法などの鋳造によって製造することができる。
【００４０】
あるいは、フェース部１及びその周縁から突出する周縁部を備えたカップ状のフェース部材を形成し、これをクラウン部２及びソール部３のフェース側に形成された開口に取り付ける、いわゆるカップフェース構造とすることもできる。この場合も、フェース部材は、上記のように、鍛造製法や、平板のプレス加工、鋳造等により製造することができ、その他の部分は、上記のような精密鋳造法により形成することができる。
【００４１】
＜４．特徴＞
以上の実施形態によれば、次の効果を得ることができる。
【００４２】
(1) ソール部３に薄肉部３１を形成し、その部分の重量を低減しているため、低減した重量を他の部位に配分することができる。そのため、ヘッド１０の重心設計の自由度を向上することができる。特に、薄肉部３１をトゥ側に形成しているため、トゥ側前方の重量を低減することができる。その一方で、ヒール側後方には、肉厚の大きい厚肉部３２を形成しているため、ヒール側後方の重量を大きくすることができる。したがって、スイング時にヘッドが返りやすくなり、スライスを軽減することができる。
【００４３】
(2) 薄肉部３１を通過するように、トゥ−ヒール方向に延びる大リブ５１を形成しているため、薄肉部３１による剛性の低下を補強することができる。特に、ソール部３は、一般にはフェース-バック方向よりもトゥ‐ヒール方向が長いため、トゥ-ヒール方向の方が変形しやすい。このため、トゥ−ヒール方向に高さの高い大リブ５１を形成することで、その変形を効果的に抑制することができる。したがって、ソール部３の剛性の低下を抑制し、後述するように、打球音の低音化を防止することができる。なお、小リブ５２，５３は、トゥ−ヒール方向に沿う曲面よりも変形が小さいことから、大リブ５１よりも高さを低くしている。
【００４４】
さらに、３つのリブ５１〜５３が交差することで形成される、特に剛性の高い三角形状の領域５０が薄肉部３１に位置するように構成されているため、薄肉部３１による剛性の低下を効果的に補強することができる。
【００４５】
また、フェース部１に対する打撃によってヘッドが振動する。このとき、比較的低次数および低振動数の振動の腹は、ソール部３のトゥ−ヒール方向に生じることがある。そして、そのような振動の腹が生じる部分を通るように、トゥ−ヒール方向に延びる大リブ５１を形成すると、大リブ５１は振動を拘束するのに寄与し、一次固有振動数を高くすることができる。特に、比較的低次数および低振動数の振動の腹は、フェース部１近傍で、トゥ−ヒール方向に並ぶように生じることが多いので、本実施形態のように、大リブ５１を形成することで、そのような比較的低次数および低振動数の振動を拘束することができ、打球音を高音化することができる。
【００４６】
この点について、本実施形態に係るゴルフクラブヘッドと同形状のヘッドについて、ソール部の振動に係るシミュレーションを行った。まず、ヘッドと同様の形状を有するヘッドの三次元データを作成した。このヘッドのソール部３の形状は、概ね図８に示すとおりである。ソール部３の薄肉部３１の厚みは、０．４５ｍｍとし、厚肉部３２の厚みは、０．６ｍｍとした。また、ヘッド体積は４６０ｃｃとした。ヘッドの材質としてはチタン合金が選択され、この材質に基づく係数を用いて計算を行った。ヘッド重量は１９０ｇとされた。
【００４７】
次に、市販のプリプロセッサ（ＨｙｐｅｒＭｅｓｈ等）を用いて、ヘッドＴ１を有限の要素にメッシュ分割し、計算モデルを得た。続いて、市販の固有値解析ソフトウェアを用いて固有値解析を行い、固有振動数及びモード形状を計算した。また、大リブを設けていないヘッドについてもシミュレーションを行った。結果は、図９Ａ及び図９Ｂに示すとおりである。なお、図９Ａ,図９Ｂのヘッドはソール部の造形が図８と一部異なっているが、上記のように本シミュレーションは図８の形状を用いて行った。
【００４８】
図９Ａは、本実施形態のヘッドにおいて、ボールを打撃したときのソール部３の一次固有振動数での振幅の分布を示したものである。一方、図９Ｂは、大リブを設けていないヘッドにおいて、ボールを打撃したときのソール部３の一次固有振動数での振幅の分布を示したものである。これら図９Ａ及び図９Ｂにおいては、色の濃い部分が振幅のより大きい部分である。図９Ａに示すシミュレーションにおいては、一次固有振動数が３９９５Ｈｚである振動モードが示された。一方、図９Ｂに示すシミュレーションにおいては、一次固有振動数が３４０１Ｈｚである振動モードが示された。
【００４９】
これらを比較すると、図９Ｂにおいては、トゥ−ヒール方向に並ぶ２つの振動の腹がソール部に生じているが、振動の腹が生じる部分を通過するように大リブ５１を設けることで、図９Ａに示すように、一次固有振動が、３９９５Ｈｚに変化している。すなわち、大リブ５１を設けることで、一次固有振動数が上昇し、打球音が高音化していることが分かった。
【００５０】
このように本実施形態に係る大リブ５１は、比較的低次数および低振動数の振動を抑制し、一次の固有振動数をより高くするようにしているため、ボールの打撃時に、ゴルファーに心地よい音を生じさせることができる。
【００５１】
(3) トゥ−ヒール方向に延びる２つの小リブ５２，５３を設けることで、フェース−バック方向の剛性を向上することができる。したがって、フェース−バック方向の変形を抑制し、反発性能を向上することができる。特に、小リブ５２，５３が互いに反対方向に延びるように形成して交差させ、さらに大リブ５１にも交差させているため、交差部分での剛性が高まり、反発性能をさらに向上することができる。
【００５２】
このように、本実施形態では、変形の大きい方向に高さの高い大リブ５１を設け、それよりも変形が小さい方向に低いリブ５２、５３を形成している。そして、これらを交差させているため、ソール部３の剛性をさらに高めることができ、その結果、反発性能を向上することができる。
【００５３】
(4) 各リブ５１〜５３の両端部は、変形の少ないソール部３の縁部付近まで延びているため、リブ５１〜５３による補強の効果を高めることができる。
【００５４】
(5) バック側に肉厚の大きい後部領域３３を形成しているため、ヘッド１０の重心深度を深くすることができる。そのため、スイートスポットを高くすることができ、ボールの打ち出し角度を向上することができる。
【００５５】
＜５．変形例＞
以上、本発明の一実施形態について説明したが、本発明は上記実施形態に限定されるものではなく、その趣旨を逸脱しない限りにおいて、種々の変更が可能である。また、以下の変形例は、適宜組み合わせることができる。例えば、以下の変更が可能である。
【００５６】
＜５−１＞
薄肉部３１の形状、位置、数は、特には限定されず、例えば、ヒール側、あるいはバック側に形成することもできる。また、薄肉部３１を設けないようにしてもよい。
【００５７】
＜５−２＞
大リブ５１は、トゥーヒール方向に延びていればよく、その位置、形状は特には限定されない。上記実施形態では、大リブ５１の両端部が低くなるように形成されているが、大リブ５１の高さは、特には限定されず、何れの部分を低くするかは、要求される性能に応じて適宜変更することができる。また、大リブ３５１の高さは、漸進的に変化してもよいし、段を設けて高さが変化するようにすることもできる。あるいは、大リブ５１の高さを一定にすることもできる。
【００５８】
＜５−３＞
小リブ５２，５３は、フェース−バック方向に延び、大リブ５１と交差し、さらに大リブ５１よりも高さが低ければよく、その位置、形状は特には限定されない。小リブ５２，５３の高さについては、上述した大リブ５１の高さと同様に適宜変更することができる。例えば、複数の小リブの高さは同じであっても、異なっていてもよい。また、小リブ５２，５３同士の交差位置は特には限定されない。また、小リブ５２，５３同士が交差していなくてもよい。
【００５９】
＜５−４＞
大リブ５１及び小リブ５２，５３のいずれかが薄肉部３１を通過するように形成されていればよく、全てのリブ５１〜５３が薄肉部３１を通過していなくてもよい。また、大リブ５１及び小リブ５２，５３の数は特には限定されず、上記実施形態以外でもよい。例えば、大リブを２本以上、小リブを１本とすることもできる。あるいは、全てのリブ５１〜５３が薄肉部３１を通過しないようにしてもよい。また、ソール部３に薄肉部３１を設けず、リブ５１〜５３のみを形成することもできる。このようにしても、上述したリブの効果を得ることができる。
【００６０】
＜５−５＞
上記実施形態では、大リブ５１及び小リブ５２，５３が、ソール部３の縁部付近まで延びているが、両端のいずれも縁部まで達していなくてもよい。また、各リブ５１〜５３の両端部のうちのいずれかがソール部３の縁部まで達するように形成することもできる。
【００６１】
＜５−６＞
大リブと小リブの位置関係は、種々の設定が可能であり、例えば、図１０Ａ〜図１０Ｅに示すように設定することができる。図１０Ａの例では、２つの小リブ５２，５３の交差位置を大リブ５１よりもフェース側にしている。
【００６２】
図１０Ｂの例では、２つの小リブ５２，５３が交差しておらず、概ね平行にフェース−バック方向に延びている。図１０Ｃの例では、２つの小リブ５２，５３が大リブ５１よりもバック側で交差し、且つ各小リブ５２，５３のフェース側の端部が大リブ５１に接している。図１０Ｄの例では、２つの小リブ５２，５３が大リブ５１に接しているが、小リブ５２，５３同士が交差せず、大リブ５１よりもフェース側にのみ配置されている。このように、小リブ５２，５３は、大リブ５１と交差せずに、接するだけでもよい。但し、ソール部３の剛性を高めるためには、大リブ５１と小リブ５２，５３とが交差することが好ましい。図１０Ｅの例では、小リブ５２が１本のみ設けられている。以上のように、小リブ５１，５２が配置される位置は、特には限定されず、また、小リブ５１，５２同士の交差は必ずしも必要ではなく、さらに、小リブ５１，５２同士が互いに交差する場合には、その交差の位置も特には限定されない。
【００６３】
＜５−７＞
ソール部３の肉厚は上記実施形態に示したものに限定するものではなく、種々の肉厚分布にすることができる。例えば、厚肉部３２は、薄肉部３１の周囲の少なくとも一部に形成されていればよく、その形状は特には限定されない。また、後部領域３３の形状も特には限定されず、このような後部領域３３を設けないようにすることもできる。
【符号の説明】
【００６４】
１  フェース部
２  クラウン部
３  ソール部
３１  薄肉部
３２  厚肉部
５１  大リブ（第１リブ）
５２  第１小リブ（第２リブ）
５３  第２小リブ（第２リブ）
【図１】
2020179030.tif 000003
【図２】
2020179030.tif 000004
【図３】
2020179030.tif 000005
【図４Ａ】
2020179030.tif 000006
【図４Ｂ】
2020179030.tif 000007
【図５】
2020179030.tif 000008
【図６】
2020179030.tif 000009
【図７】
2020179030.tif 000010
【図８】
2020179030.tif 000011
【図９Ａ】
2020179030.tif 000012
【図９Ｂ】
2020179030.tif 000013
【図１０Ａ】
2020179030.tif 000014
【図１０Ｂ】
2020179030.tif 000015
【図１０Ｃ】
2020179030.tif 000016
【図１０Ｄ】
2020179030.tif 000017
【図１０Ｅ】
2020179030.tif 000018
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
フェース部と、
クラウン部と、
ソール部と、
前記ソール部に設けられた少なくとも１つの第１リブと、
前記ソール部に設けられた少なくとも２つの第２リブと、
を備え、
前記フェース部、前記クラウン部、及び前記ソール部によって囲まれた内部空間を有し、
前記第１リブは、前記ソール部の内壁面において、トゥ−ヒール方向に延び、
前記第２リブは、前記ソール部の内壁面において、フェース−バック方向に延び、
前記第２リブの前記ソール部の内壁面からの高さが、前記第１リブの前記ソール部の内壁面からの高さよりも低く、
２つの前記第２リブは、フェース側にいくにしたがって、トゥ−ヒール方向の間隔が互いに広がるように形成されている、ゴルフクラブヘッド。
【請求項２】
前記第２リブは、前記第１リブと交差している、請求項１に記載のゴルフクラブヘッド。
【請求項３】
前記第１リブ及び第２リブは、それぞれ、連続的に延びている、請求項１または２に記載のゴルフクラブヘッド。
【請求項４】
前記ソール部には最も肉厚が薄い薄肉部を有しており、
前記第１リブの少なくとも一部、及び前記第２リブの少なくとも一部が、前記薄肉部上を通過するように構成されている、請求項１から３のいずれかに記載のゴルフクラブヘッド。
【請求項５】
前記薄肉部は、トゥ−ヒール方向のトゥ側に配置されている、請求項４に記載のゴルフクラブヘッド。
【請求項６】
前記ソール部には、前記薄肉部の周囲の少なくとも一部に、当該薄肉部よりも肉厚の大きい厚肉部を備えており、
前記第１リブ及び第２リブの少なくとも１つは、前記厚肉部まで延びている、請求項４または５に記載のゴルフクラブヘッド。
【請求項７】
少なくとも２本の前記第２リブを備えており、
前記２本の第２リブが、前記ソール部において交差するように形成されている、請求項１から６のいずれかに記載のゴルフクラブヘッド。
【請求項８】
１つの前記第１リブと、２つの前記第２リブとが互いに交差するように構成されている、請求項１から７のいずれかに記載のゴルフクラブヘッド。
【請求項９】
２つの前記第２リブが、前記第１リブよりもバック側において交差するように構成されている、請求項１から８のいずれかに記載のゴルフクラブヘッド。
【請求項１０】
フェース部と、
クラウン部と、
ソール部と、
前記ソール部に設けられた１つの第１リブと、
前記ソール部に設けられた２つの第２リブと、
を備え、
前記フェース部、前記クラウン部、及び前記ソール部によって囲まれた内部空間を有し、
前記第１リブは、前記ソール部の内壁面において、トゥ−ヒール方向に延び、
前記第２リブは、前記ソール部の内壁面において、フェース−バック方向に延び、
前記第２リブの前記ソール部の内壁面からの高さが、前記第１リブの前記ソール部の内壁面からの高さよりも低く、
前記ソール部は、最も肉厚が薄い薄肉部を有しており、
２つの前記第２リブが、前記ソール部において交差するように形成されおり、
前記１つの第１リブと前記２つの第２リブとで囲まれる領域が、前記薄肉部上に配置されている、ゴルフクラブヘッド。
【請求項１１】
前記第２リブは、前記フェース部と前記ソール部との境界付近からバック側に延びている、請求項１から１０のいずれかに記載のゴルフクラブヘッド。
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
フェース部と、
クラウン部と、
ソール部と、
前記ソール部に設けられた少なくとも１つの第１リブと、
前記ソール部に設けられた少なくとも２つの第２リブと、
を備え、
前記フェース部、前記クラウン部、及び前記ソール部によって囲まれた内部空間を有し、
前記第１リブは、前記ソール部の内壁面において、トゥ−ヒール方向に延び、
前記第２リブは、前記ソール部の内壁面において、フェース−バック方向に延び、
前記第２リブの前記ソール部の内壁面からの高さが、前記第１リブの前記ソール部の内壁面からの高さよりも低く、
２つの前記第２リブは、フェース側にいくにしたがって、トゥ−ヒール方向の間隔が互いに広がるように形成されており、
前記第２リブは、前記第１リブと交差し、
２つの前記第２リブが、前記第１リブよりもバック側において交差するように構成されている、ゴルフクラブヘッド。
【請求項２】
フェース部と、
クラウン部と、
ソール部と、
前記ソール部に設けられた少なくとも１つの第１リブと、
前記ソール部に設けられた少なくとも２つの第２リブと、
を備え、
前記フェース部、前記クラウン部、及び前記ソール部によって囲まれた内部空間を有し、
前記第１リブは、前記ソール部の内壁面において、トゥ−ヒール方向に延び、
前記第２リブは、前記ソール部の内壁面において、フェース−バック方向に延び、
前記第２リブの前記ソール部の内壁面からの高さが、前記第１リブの前記ソール部の内壁面からの高さよりも低く、
２つの前記第２リブは、フェース側にいくにしたがって、トゥ−ヒール方向の間隔が互いに広がるように形成されており、
前記第２リブは、前記第１リブと交差し、
２つの前記第２リブが、前記第１リブよりもフェース側において交差するように構成されている、ゴルフクラブヘッド。
【請求項３】
前記第１リブ及び第２リブは、それぞれ、連続的に延びている、請求項１または２に記載のゴルフクラブヘッド。
【請求項４】
前記ソール部には最も肉厚が薄い薄肉部を有しており、
前記第１リブの少なくとも一部、及び前記第２リブの少なくとも一部が、前記薄肉部上を通過するように構成されている、請求項１から３のいずれかに記載のゴルフクラブヘッド。
【請求項５】
前記薄肉部は、トゥ−ヒール方向のトゥ側に配置されている、請求項４に記載のゴルフクラブヘッド。
【請求項６】
前記ソール部には、前記薄肉部の周囲の少なくとも一部に、当該薄肉部よりも肉厚の大きい厚肉部を備えており、
前記第１リブ及び第２リブの少なくとも１つは、前記厚肉部まで延びている、請求項４または５に記載のゴルフクラブヘッド。
【請求項７】
フェース部と、
クラウン部と、
ソール部と、
前記ソール部に設けられた１つの第１リブと、
前記ソール部に設けられた２つの第２リブと、
を備え、
前記フェース部、前記クラウン部、及び前記ソール部によって囲まれた内部空間を有し、
前記第１リブは、前記ソール部の内壁面において、トゥ−ヒール方向に延び、
前記第２リブは、前記ソール部の内壁面において、フェース−バック方向に延び、
前記第２リブの前記ソール部の内壁面からの高さが、前記第１リブの前記ソール部の内壁面からの高さよりも低く、
前記ソール部は、最も肉厚が薄い薄肉部を有しており、
２つの前記第２リブが、前記ソール部において交差するように形成されおり、
前記１つの第１リブと前記２つの第２リブとで囲まれる領域の全てが、前記薄肉部上に配置されている、ゴルフクラブヘッド。
【請求項８】
前記第２リブは、前記フェース部と前記ソール部との境界付近からバック側に延びている、請求項１から７のいずれかに記載のゴルフクラブヘッド。